(57)【要約】【課題】所望のスタイルの製本印刷が可能なデジタル複写装置を提供する。【解決手段】中央でステープルし２つ折にすることで製本状態とする製本機能及び両面印刷機能を有するデジタル複写装置において、製本機能実行時に必要に応じて、表紙の裏側あるいは表紙と裏表紙の裏側には印刷を行わないように制御する制御部１５を備えた。【選択図】　　　図１
2004064453.tif 000002
【特許請求の範囲】
【請求項１】
中央でステープルし２つ折にすることで製本状態とする製本機能及び両面印刷機能を有するデジタル複写装置において、製本機能実行時に必要に応じて、表紙の裏側あるいは表紙と裏表紙の裏側には印刷を行わないように制御する制御部を備えたことを特徴とするデジタル複写装置。
【請求項２】
中央でステープルし２つ折にすることで製本状態とする製本機能及び両面印刷機能を有するデジタル複写装置において、製本機能実行時に必要に応じて、表紙の裏側及び裏表紙には印刷を行わないように制御する制御部を備えたことを特徴とするデジタル複写装置。
【請求項３】
中央でステープルし２つ折にすることで製本状態とする製本機能及び両面印刷機能を有するデジタル複写装置において、製本機能実行時に必要に応じて、表紙にのみ印刷を行うように制御する制御部を備えたことを特徴とするデジタル複写装置。
【発明の詳細な説明】
【０００１】
【発明の属する技術分野】
本発明は、中央でステープルして２つ折にすることで製本状態とする製本機能及び両面印刷機能を有するデジタル複写装置に関するものである。
【０００２】
【従来の技術】
デジタル複写機には、週刊誌のように印刷して積層した用紙束をその中央でスープルして２つ折りにすることで製本状態とする後処理機能（週刊誌綴じ機能）を有するものがある。例えば、原稿を８ページ分読み取って得た８つの画像を２枚の大判用紙に両面コピーした場合には、図５のような頁順でコピーが出力される。デジタル複写機によっては、図５のコピー出力を更に中央でステープルし、２つ折にする後処理機能を有するものもある。そのような後処理機能を有しないデジタル複写機の場合には、コピー出力に対して利用者がステープル処理と２つ折り処理を行うことになる。
なお、製本機能及び両面印刷機能を有するデジタル複写装置に関連して、特開平７−５０７３８号公報「デジタル画像形成装置」が存在する。
【０００３】
【発明が解決しようとする課題】
しかしこの週刊誌綴じ機能では、表紙及び裏表紙に相当するページにも両面印刷が行われるため、表紙の裏側（内側）に印刷したくない場合には、表紙のみ別コピーするか、原稿の１枚目と２枚目の間に白紙をいれるような煩雑な手順を踏む必要があり、非常に面倒であった。
また特開平７−５０７３８号公報に示される技術では、ページに余りがある場合には最後の１から３ページを印刷しない（白紙とする）だけなので、上記の課題を解決することはできない。
本発明は、所望のスタイルの製本印刷が可能なデジタル複写装置を提供することを目的とする。
【０００４】
【課題を解決するための手段】
上記目的を達成するために、請求項１記載の発明は、中央でステープルし２つ折にすることで製本状態とする製本機能及び両面印刷機能を有するデジタル複写装置において、製本機能実行時に必要に応じて、表紙の裏側あるいは表紙と裏表紙の裏側には印刷を行わないように制御する制御部を備えたデジタル複写装置を最も主要な特徴とする。
請求項２記載の発明は、中央でステープルし２つ折にすることで製本状態とする製本機能及び両面印刷機能を有するデジタル複写装置において、製本機能実行時に必要に応じて、表紙の裏側及び裏表紙には印刷を行わないように制御する制御部を備えたデジタル複写装置を最も主要な特徴とする。
請求項３記載の発明は、中央でステープルし２つ折にすることで製本状態とする製本機能及び両面印刷機能を有するデジタル複写装置において、製本機能実行時に必要に応じて、表紙にのみ印刷を行うように制御する制御部を備えたデジタル複写装置を最も主要な特徴とする。
【０００５】
【発明の実施の形態】
以下、図面により本発明の実施の形態を詳細に説明する。図１に本発明に係るデジタル複写装置の機能ブロック図を示す。本デジタル複写装置は、原稿サイズ・方向を検知する原稿センサを備えて原稿を読み取るスキャナ１０と、記録紙を給紙し読み取った画情報を記録紙の両面に印刷にするプリンタ１１と、各種操作キーと表示器を備えた操作表示部１２と、画情報を蓄積する画像蓄積部１３と、画像の変倍、集約等を行う画像処理部１４と、複写装置全体を制御する制御部１５と、制御部１５が実行するプログラムを格納するＲＯＭ１６と、制御に必要な各種パラメータ等を記憶させるＲＡＭ１７より構成される。
【０００６】
図２は本発明のデジタル複写装置における第１の制御例のフローチャートである。以下の制御は制御部１５により実行される。まず週刊誌綴じ機能が選択されたか否かを判断する（Ｓ１）。週刊誌綴じ機能が選択されていない場合、通常コピー動作を行う（Ｓ２）。
週刊誌綴じ機能を選択した後、操作表示部１２のコピースタートキーが押されると、スキャナ１０は全ての原稿を読み取り、その画像データを画像蓄積部１３へ蓄積すると共に（Ｓ３）、原稿枚数をカウントし、総ページ数（Ｎ）をＲＡＭ１７に記憶する。全原稿読取後（Ｓ４でＹ）、総ページ数（Ｎ）に１を加えた値を４で割り、余り（ｍ）を計算する（Ｓ５）。
Ｎページと（Ｎ−１）ページの間に（４−ｍ）だけ、白紙データを挿入し、Ｎ’＝Ｎ＋４−ｍを計算し（Ｓ６）、Ｎ’を新たな総ページ数とする（余りが０なら白紙挿入は当然しない）。
画像処理部１４を使用して記録紙の表面の右側に１ページ目のデータを、左側にＮ’ページ目のデータを設定し（Ｓ７）、記録紙の裏面の右側に（Ｎ’−１）ページ目のデータを、左側には白紙としたデータを設定し（Ｓ８）、両面印刷をプリンタ（１１）より出力する（Ｓ９）。
次に、カウンタ値を初期化（ｐ＝２、ｎ＝２）した後（Ｓ１０）、記録紙の表面の右側にｐページ目のデータを、左側に（Ｎ’−ｎ）ページ目のデータを設定し（Ｓ１１）、記録紙の裏面の右側に（Ｎ’−ｎ−１）ページ目のデータを、左側に（ｐ＋１）ページ目のデータを設定し（Ｓ１２）、同様に両面印刷をプリンタ１１より出力する（Ｓ１３）。
出力後、カウンタ値をカウントアップ（ｐ＝ｐ＋２、ｎ＝ｎ＋２）し（Ｓ１４）、ｐと（Ｎ’−ｎ）を比較する（Ｓ１５）。ｐの方が大きければ、全ての印刷が終了したので、処理を終了する。ｐの方が小さければ、印刷を続行する。
総ページ数が７ページ時の出力例を図６に示す。また、総ページ数が６ページの場合には、Ｎページと（Ｎ−１）ページの間に白紙が１ページ挿入されるため、表紙裏面は左右とも白紙となり、表面のみの片面印刷となる。この場合の出力例を図７に示す。
例えば原稿サイズがＡ４で記録紙がＡ３の場合には変倍の必要がないが、記録紙が原稿サイズの２倍以外の場合には、当然画像処理部１４を使用して記録紙に合わせたサイズに変倍し、出力することで本発明の機能を実現する。
プリンタ１１に複数の記録紙が収容可能な場合には、例えば、１段目には普通紙を、２段目には厚紙あるいは色紙をセットしておき、表紙のみ厚紙あるいは色紙に印刷し、２枚目以降は普通紙に印刷することで、表紙のみ異なる記録紙に印刷された週刊誌綴じの書類を作成することも可能である。
また、本発明では印刷出力することのみを説明しているが、デジタル複写装置において記録紙の中央をステープルで留めて２つ折にし出力させることも当然可能である。
【０００７】
図３は本発明のデジタル複写装置における第２の制御例のフローチャートである。以下の制御は制御部１５により実行される。まず週刊誌綴じ機能が選択されたか否か判断する（Ｓ１）。週刊誌綴じ機能が選択されていない場合、通常コピー動作を行う（Ｓ２）。
週刊誌綴じ機能選択後、操作表示部１２のコピースタートキーが押されると、スキャナ１０は全ての原稿を読み取り、その画像データを画像蓄積部１３へ蓄積すると共に（Ｓ３）、原稿枚数をカウントし、総ページ数（Ｎ）をＲＡＭ１７に記憶する。全原稿読取後（Ｓ４でＹ）、総ページ数（Ｎ）に２を加えた値を４で割り、余り（ｍ）を計算する（Ｓ５）。
Ｎページと（Ｎ−１）ページの間に（４−ｍ）だけ、白紙データを挿入し、Ｎ’＝Ｎ＋４−ｍを計算し（Ｓ６）、Ｎ’を新たな総ページ数とする（余りが０なら白紙挿入は当然しない）。
画像処理部１４を使用して記録紙の表面の右側に１ページ目のデータを、左側には白紙としたデータを設定し（Ｓ７）、記録紙の裏面の右側にＮ’ページ目のデータを、左側には白紙としたデータを設定し（Ｓ８）、両面印刷をプリンタ１１より出力する（Ｓ９）。
次に、カウンタ値を初期化（ｐ＝２、ｎ＝１）した後（Ｓ１０）、記録紙の表面の右側にｐページ目のデータを、左側に（Ｎ’−ｎ）ページ目のデータを設定し（Ｓ１１）、記録紙の裏面の右側に（Ｎ’−ｎ−１）ページ目のデータを、左側に（ｐ＋１）ページ目のデータを設定し（Ｓ１２）、同様に両面印刷をプリンタ１１より出力する（Ｓ１３）。
出力後、カウンタ値をカウントアップ（ｐ＝ｐ＋２、ｎ＝ｎ＋２）し（Ｓ１４）、ｐと（Ｎ’−ｎ）を比較する。ｐの方が大きければ、全ての印刷が終了したので、処理を終了する（Ｓ１５）。ｐの方が小さければ、印刷を続行する。総ページ数が６ページ時の出力例を図８に示す。
また、余りが１または２の場合には白紙ページの枚数が多いので、余り（ｍ）を計算後、操作表示部１２に他の設定を推奨する表示を行い、利用者に無駄が多いことを通知するようなことも可能である。余りが２の時には通常の週刊誌綴じ（図５）、余りが１の時には請求項１の週刊誌綴じ（図６）を推奨する。
【０００８】
図４は本発明のデジタル複写装置における第３の制御例のフローチャートである。以下の制御は制御部１５により実行される。まず週刊誌綴じ機能が選択されたか否か判断する（Ｓ１）。週刊誌綴じ機能が選択されていない場合、通常コピー動作を行う（Ｓ２）。
週刊誌綴じ機能選択後、操作表示部１２のコピースタートキーが押されると、スキャナ１０は全ての原稿を読み取り、その画像データを画像蓄積部１３へ蓄積すると共に（Ｓ３）、原稿枚数をカウントし、総ページ数（Ｎ）をＲＡＭ１７に記憶する。全原稿読取後（Ｓ４でＹ）、総ページ数（Ｎ）から１を引いた値を４で割り、余り（ｍ）を計算する（Ｓ５）。
最終ぺージ（Ｎ）の後ろに（４−ｍ）だけ、白紙データを追加し、Ｎ’＝Ｎ＋４−ｍを計算し（Ｓ６）、Ｎ’を新たな総ページ数とする（余りが０なら白紙追加は当然しない）。
画像処理部１４を使用して記録紙の表面の右側に１ページ目のデータを、左側は白紙としたデータをプリンタ１１より出力する（Ｓ７、Ｓ８）。記録紙の裏面には何も印刷しない（表紙のみ片面印刷とする）。
次に、カウンタ値を初期化（ｐ＝２、ｎ＝０）した後（Ｓ９）、記録紙の表面の右側にｐページ目のデータを、左側に（Ｎ’−ｎ）ページ目のデータを設定し（Ｓ１０）、記録紙の裏面の右側に（Ｎ’−ｎ−１）ページ目のデータを、左側に（ｐ＋１）ページ目のデータを設定し（Ｓ１１）、同様に両面印刷をプリンタ１１より出力する（Ｓ１２）。
出力後、カウンタ値をカウントアップ（ｐ＝ｐ＋２、ｎ＝ｎ＋２）し（Ｓ１３）、ｐと（Ｎ’−ｎ）を比較する（Ｓ１４）。ｐの方が大きければ、全ての印刷が終了したので、処理を終了する。ｐの方が小さければ、印刷を続行する。総ページ数が６ページ時の出力例を図９に示す。
余りが１または２の場合には白紙ページの枚数が多いので、余り（ｍ）を計算後、操作表示部１２に他の設定を推奨する表示を行い、利用者に無駄が多いことを通知するようなことも可能である。
ここでは、記録紙の片面に２枚を集約する場合について記載したが、記録紙の片面に４枚集約することも当然可能である。またこの時、表紙及び裏表紙だけは片面２枚に集約するようなことも当然可能である。表紙及び裏表紙のみ印刷し、表紙以外は１枚に８ページを集約する総ページ数が１０枚の場合の例を図１０に示す。
【０００９】
【発明の効果】
以上説明したように、本発明によれば、製本機能実行時に必要に応じて、表紙の裏側あるいは表紙と裏表紙の裏側には印刷を行わないように制御し、また表紙の裏側及び裏表紙には印刷を行わないように制御し、さらには表紙にのみ印刷を行うように制御する制御部を備えたので、所望のスタイルの製本印刷が可能なデジタル複写装置を提供することができる。
【図面の簡単な説明】
【図１】本発明に係るデジタル複写装置の機能ブロック図である。
【図２】本発明のデジタル複写装置における第１の制御例のフローチャートである。
【図３】本発明のデジタル複写装置における第２の制御例のフローチャートである。
【図４】本発明のデジタル複写装置における第３の制御例のフローチャートである。
【図５】製本結果を示す図である。
【図６】製本結果を示す図である。
【図７】製本結果を示す図である。
【図８】製本結果を示す図である。
【図９】製本結果を示す図である。
【図１０】製本結果を示す図である。
【符号の説明】
１０　スキャナ、１１　プリンタ、１２　操作表示部、１３　画像蓄積部、１４　画像処理部、１５　制御部、１６　ＲＯＭ、１７　ＲＡＭ
【図１】
2004064453.tif 000003
【図２】
2004064453.tif 000004
【図３】
2004064453.tif 000005
【図４】
2004064453.tif 000006
【図５】
2004064453.tif 000007
【図６】
2004064453.tif 000008
【図７】
2004064453.tif 000009
【図８】
2004064453.tif 000010
【図９】
2004064453.tif 000011
【図１０】
2004064453.tif 000012